(57)【要約】【課題】引き戸を設ける際、位置決めが容易となるとともに、壁への釘打ち等の取り付け作業が不要となる建物の引き戸枠を提供する。【解決手段】建物の壁１にあけられた開口部２が、左右の縦枠６およびこれらの縦枠６の上端間にわたる上枠７を含み形成される開口部枠５で被われ、壁１の外側に配置され、開口部２の幅より広い幅に形成された引き戸用上枠１５を、その突出部１６Ａを開口部枠５の上枠７側面に形成された水平溝７Ｂに嵌合して固定する。引き戸用上枠１５には引き戸１６が開閉自在に設けられている。そのため、開口部枠の上枠側面の水平溝に突出部を嵌合させるだけで引き戸用上枠を固定できるので、水平度や上下方向の位置等をその都度確かめる必要がなくて引き戸用上枠の位置決めが容易である。【選択図】  図３
2004238931.tif 000002
【特許請求の範囲】
【請求項１】
建物の壁にあけられた開口部に対応して設けられた建物の引き戸枠であって、
前記開口部の縁部を被う左右の縦枠およびそれらの縦枠の上端間にわたって設けられた上枠を含み形成される開口部枠と、
前記壁の外側に設けられるとともに前記開口部の幅より広い幅に形成され前記開口部枠側の一側面に突出部を有する引き戸用上枠と、を備え、
この引き戸用上枠には開閉自在に引き戸が設けられるとともに、前記引き戸用上枠は、前記開口部枠の上枠側面に形成された水平溝に前記突出部を嵌合して固定されていることを特徴とする建物の引き戸枠。
【請求項２】
請求項１記載の建物の引き戸枠において、
前記開口部枠における左右の縦枠の壁面側側面には縦溝が形成され、これらの縦溝には前記引き戸と開口部との間に設けられる額縁部材が嵌合されていることを特徴とする建物の引き戸枠。
【請求項３】
請求項１記載の建物の引き戸枠において、
前記開口部枠における左右の縦枠の壁面側側面には縦溝が形成され、これらの縦溝のうち前記引き戸側の縦溝の一つには、前記引き戸の所定以上の移動を防止するストッパ部材が嵌合され、このストッパ部材は、前記引き戸の開閉方向端面が当接する戸当たり部を有するとともに、引き戸より外側に突出していることを特徴とする建物の引き戸枠。
【請求項４】
請求項１ないし請求項３のいずれかに記載の建物の引き戸枠において、
前記引き戸用上枠には前記引き戸を吊り下げ支持する吊り部材が組み込まれていることを特徴とする建物の引き戸枠。
【請求項５】
請求項１ないし請求項４のいずれかに記載の建物の引き戸枠において、
前記引き戸は、前記開口部の幅より広い幅寸法に形成され、その幅方向両端は前記開口部の両側の壁面に被さることを特徴とする建物の引き戸枠。
【発明の詳細な説明】
【０００１】
【発明の属する技術分野】
本発明は、建物の引き戸枠に係り、詳しくは、新築またはリフォームで間取りの変更をする際に、建物の開口部に引き戸を設置するための建物の引き戸枠に関する。
【０００２】
【背景技術】
住宅等の建物においては広く開口部が設けられている。そして、このような開口部には、目地付の開口部枠と、その目地に嵌合する額縁材との組み合わせで構成される建具枠材が設けられることが多い。これらの開口部および建具枠材は、部品の組み合わせにより、寸法の誤差や、壁の厚みや、ドアの幅の変化に対応する調整機能を有している。
以上の開口部および建具枠材は開き戸用として用いられることが多いが、住宅を新築する際、また、リフォームで間取りの変更をする際、引き戸の設置を希望する場合もある。引き戸の設置例として、開口の上下にレールを設け、引き戸をスライドさせる専用の構造のものが知られている（特許文献１）。
【０００３】
【特許文献１】
特開２００２−１６１６６６号公報
【０００４】
【発明が解決しようとする課題】
しかし、前記特許文献１の引き戸は、壁の開口の上下にレールを設け、両レール間にスライド扉を設ける構造であり、開口の建具枠材とはまったく別部材を使用することになる。そのため、上下のレールを取り付ける際、平行度を出しながらの作業となり、位置決めが困難である。
また、上部のレールを設けるために壁に釘打ちするなど、壁への取り付け作業が必要となる。
【０００５】
本発明の目的は、引き戸を設ける際、位置決めが容易となるとともに、壁への釘打ち等の取り付け作業が不要となる建物の引き戸枠を提供することにある。
【０００６】
【課題を解決するための手段】
請求項１に記載の発明は、図面を参照して説明すると、図３に示すように、建物の壁１にあけられた開口部２に対応して設けられた建物の引き戸枠１０であって、前記開口部２の縁部を被う左右の縦枠６およびそれらの縦枠６の上端間にわたって設けられた上枠７を含み形成される開口部枠５と、前記壁１の外側に設けられるとともに前記開口部２の幅より広い幅に形成され前記開口部枠５側の一側面に突出部１６Ａを有する引き戸用上枠１５と、を備え、この引き戸用上枠１５には開閉自在に引き戸１８が設けられるとともに、前記引き戸用上枠１５は、前記開口部枠５の上枠７側面に形成された水平溝７Ｂに前記突出部１６Ａを嵌合して固定されていることを特徴とする建物の引き戸枠１０である。
【０００７】
このような本発明によれば、開口部枠の上枠側面の水平溝に突出部を嵌合させるだけで引き戸用上枠を固定できるので、水平度や上下方向の位置等をその都度確かめる必要がなくて引き戸用上枠の位置決めが容易である。
また、引き戸用上枠の突出部を水平溝に嵌合させ、かつ壁の外側に設けたので、壁に釘打ちするなど、壁への取り付け作業が不要となる。
【０００８】
請求項２に記載の発明は、図２に示すように、請求項１記載の建物の引き戸枠において、前記開口部枠５における左右の縦枠６の壁面側側面には縦溝６Ａが形成され、これらの縦溝６Ａには前記引き戸１８と開口部２との間に設けられる額縁部材８が嵌合されていることを特徴とするものである。
このような本発明によれば、額縁部材の出っ張り寸法を調整できるので、引き戸と開口部枠との隙間を少なくすることができる。
【０００９】
請求項３に記載の発明は、図面を参照して説明すると、図７に示すように、請求項１記載の建物の引き戸枠において、前記開口部枠５における左右の縦枠６の壁面側側面には縦溝６Ａが形成され、これらの縦溝６Ａのうち前記引き戸１８側の縦溝６Ａの一つには、前記引き戸１８の所定以上の移動を防止するストッパ部材３１が嵌合され、このストッパ部材３１は、前記引き戸１８の開閉方向端面が当接する戸当たり部３２を有するとともに、引き戸１８より外側に突出していることを特徴とするものである。
このような本発明によれば、引き戸はストッパ部材に当接するのでそれ以上の移動が防止され、引き戸用上枠から外れることがない。
また、ストッパ部材が縦枠の縦溝に嵌合して固定されるので、取り付けが容易であるとともに、部材の兼用が可能となって、ストッパ部材を取り付ける部材が不要となる。
【００１０】
請求項４に記載の発明は、図３に示すように、請求項１ないし請求項３のいずれかに記載の建物の引き戸枠において、前記引き戸用上枠１５には前記引き戸１８を吊り下げ支持する吊り部材１１が組み込まれていることを特徴とするものである。
このような本発明によれば、引き戸が吊り下げ支持されているので、開閉がスムーズであるとともに、下枠を設けなくてすみ施工が容易である。
【００１１】
請求項５に記載の発明は、図２に示すように、請求項１ないし請求項４のいずれかに記載の建物の引き戸枠において、前記引き戸１８は、前記開口部２の幅より広い幅寸法に形成され、その幅方向両端は前記開口部２の両側の壁面に被さることを特徴とするものである。
このような本発明によれば、開口部の多少の変動に対応できるので、開口部の種類に合わせてその都度引き戸を形成しなくてもよい。
また、リフォームに際して、従来開き戸だったものを引き戸に変更し、物入れ等にする場合に、容易に対応できる。
【００１２】
【発明の実施の形態】
以下に、本発明に係る建物の引き戸枠の実施形態を、図面に基づいて説明する。
図１〜図３には、第１実施形態の建物の引き戸枠１０が示されている。この建物の引き戸枠１０は、建物の新築時あるいはリフォーム時に、建物の壁１に形成された開口部２に引き戸１８を設けるために用いられるものであり、開口部枠５と引き戸用上枠１５とを備えて構成されている。
このような建物の引き戸枠１０は、開口部２の例えば外側（図１中手前側）に設けられている。そして、開口部２の内側（図１中向こう側）は、例えば収納室となっている。
【００１３】
図２，３に示すように、開口部枠５は、開口部２の縁部を被って設けられ、開口部２の縦の縁部を被う左右の縦枠６と、これらの縦枠６の上端間にわたって設けられ開口部２の上部の縁部を被う上枠７と、これらの縦枠６、および上枠７の周囲を被う額縁部材８とを含んで形成されている。
上枠７の外側および内側の側面には、上枠７の長手方向に沿って所定幅の水平溝７Ｂが形成されている。また、左右の縦枠６の外側および内側の側面には、当該縦枠６の上下方向に沿って所定幅の縦溝６Ａが形成されている。
【００１４】
額縁部材８は断面Ｌ字状に形成されており、上枠７においてはＬ字状の一辺が水平溝７Ｂに嵌合するとともに、他の一辺が開口部２の上部縁部に覆い被さって取り付けられ、左右の縦枠６においてはＬ字状の一辺が縦溝６Ａに嵌合するとともに、他の一辺が開口部２の側部縁部に覆い被さって取り付けられている。これにより、開口部２の縁部周囲が額縁部材８で被われ、縁部の施工部が直接表れなくなり、見映えがよくなっている。
【００１５】
壁１の開口部２の外側には、当該開口部２の幅より広い寸法に形成され、前述のように、建物の引き戸枠１０を構成する引き戸用上枠１５が設けられている。この引き戸用上枠１５は、上枠本体１６と前面枠１７とを含んで形成され、上枠本体１６の前記開口部枠５側の一側面には、当該上枠本体１６の下面と連続する突出部１６Ａが上枠本体１６の長手方向にわたって設けられている。この突出部１６Ａは、前記上枠７の水平溝７Ｂに嵌合するとともに、上枠本体１６の開口部２側側面は、壁１の外側面に当接されている。
【００１６】
また、上枠本体１６の前面には前記前面枠１７が設けられており、この前面枠１７は、上枠本体１６の厚さより所定寸法長い幅寸法に形成されるとともに、下部一部を上枠本体１６の下面から下方に突出させて取り付けられている。そして、この突出した部分により、後に詳細を述べる引き戸１８の吊り部材１１が隠されるようになっている。
【００１７】
このような引き戸用上枠１５の上枠本体１６の下面には、当該上枠本体１６の長手方向に沿ってレール溝１６Ｂが形成されている。このレール溝１６Ｂには、前記吊り部材１１が抜けないように設けられている。
引き戸１８は、図１に示すように、引き戸用上枠１５に開閉自在に設けられ、閉じたとき開口部２の前面を覆えるようになっている。すなわち、この引き戸１８は、図２に示すように、開口部２の幅より広い幅寸法に形成され、かつ幅方向両端が開口部２の両側の壁面に被さるように設けられ、引き戸１８を閉じたとき、開口部２を完全に覆えるようになっている。
【００１８】
引き戸１８は、前述のように、引き戸用上枠１５の上枠本体１６に吊り下げられて設けられている。すなわち、図３に示すように、引き戸１８の上端面には、前記吊り部材１１が幅方向に所定間隔で複数個（例えば、両端の２個または３個）取り付けられており、この吊り部材１１はローラ状に形成されている。また、吊り部材１１は、前記上枠本体１６の下面に形成されている前記レール溝１６Ｂにそこから抜けないように係合している。
【００１９】
また、引き戸１８の下面にはレール部材１２が設けられ、このレール部材１２は、床面３に敷設された敷居１３のガイド部材１４にガイドされている。レール部材１２は、例えば丸棒、板部材で形成され、ガイド部材１４にスライド自在に挿入される大きさとなっている。しかし、レール部材１２は引き戸１８の全幅にわたるレール状部材で形成してもよい。
【００２０】
このような第１実施形態によれば、引き戸１８を閉じれば狭い幅の開口部２が塞がれ、引き戸１８を開ければ開口部２が現れる。引き戸１８の開閉は、レール溝１６Ｂと吊り部材１１との係合によりスムーズに行われる。
【００２１】
このような第１実施形態によれば、次のような効果がある。
（１）  引き戸用上枠１５の上枠本体１６の取り付けは、上枠本体１６の突出部１６Ａを、開口部枠５の上枠７側面の水平溝７Ｂに嵌合させるだけで固定できるので、水平度や上下方向の位置等をその都度確かめる必要がなくて引き戸用上枠１５の位置決めが容易である。その上、壁１に釘打ちするなど、壁１への取り付け作業が不要となる。
【００２２】
（２）  引き戸用上枠１５の取り付けを、上枠本体１６の突出部１６Ａを、開口部枠５の上枠７側面の水平溝７Ｂに嵌合させて行えるので、開口部枠５を利用することができ、部品を兼用することができる。
（３）  左右の縦枠６の壁面側側面には縦溝６Ａが形成され、これらの縦溝６Ａに、引き戸１８と開口部２との間に設けられる額縁部材８が嵌合されているので、額縁部材８の出っ張り寸法を調整することで、引き戸１８と開口部枠５との隙間を少なくすることができる。
【００２３】
（４）  引き戸１８が吊り部材１１で支持されるとともに、上枠本体１６のレール溝１６Ｂに係合してているので、開閉をスムーズに行うことができる。
（５）  建物の引き戸枠１０が、開口部枠５と引き戸用上枠１５とを主に構成されているので、構造が簡単で、部品点数も少なくてすむ。
（６）  引き戸１８が開口部２の幅より広い幅寸法に形成され、その幅方向両端が開口部２の両側の壁面に被さっているので、開口部２の多少の変動に対応でき、開口部２の種類に合わせてその都度引き戸１８を形成しなくてもよい
【００２４】
図４，５には、本発明の第２実施形態が示されている。
この実施形態の建物の引き戸枠２０は、例えば前記第１実施形態の開口部２のほぼ２倍の幅となった開口部２Ａを、両開きとなった２枚の引き戸１８で遮蔽できるようにしたものである。なお、この第２実施形態、および次に述べる第３〜第５実施形態において、前記第１実施形態で使用した部材と同一部材には同一符号を付し、その詳細な説明は簡略化する。
【００２５】
建物の引き戸枠２０は、開口部枠５Ａと引き戸用上枠２５とを備えて構成されている。
開口部枠５Ａは、前記左右の縦枠６とこれらの縦枠６の上端間に架けわたされた上枠７Ａを含み構成されている。この開口部枠５Ａは、上枠７Ａの長さのみが、第１実施形態の開口部枠５の上枠７より長く形成されているが、縦枠６、上枠７Ａの構成は、図３で説明した第１実施形態の縦枠６と上枠７との構成とほぼ同じである。
【００２６】
このような開口部２Ａに対して、建物の引き戸枠２０を構成する引き戸用上枠２５も第１実施形態の引き戸用上枠１５のほぼ２倍に形成されているが、構成および取り付けは、第１実施形態の引き戸用上枠１５とほぼ同じである。引き戸用上枠２５は、上枠本体２６と前面枠２７とを備えて構成されている。上枠本体２６は、前記上枠本体１６の突出部１６Ａと同じように突出部（図略）を有し、また、上枠７Ａには水平溝（図略）が形成されており、上枠本体２６の突出部を上枠７Ａの水平溝に嵌合させて取り付けられている。
上枠本体２６の下面にも前記レール溝１６Ｂと同じようなレール溝（図略）が形成されている。また、敷居２３も長さが長くなっただけで、構成は第１実施形態の敷居１３と同じであり、敷居２３にはガイド部材２４が設けられている。
【００２７】
このような第２実施形態によれば、２枚の引き戸１８をそれぞれ閉じれば、広い幅の開口部２Ａが塞がれ、引き戸１８を左右に開ければ、広い幅の開口部２Ａが現れる。引き戸１８の開閉時は、レール１６Ｂと吊り部材１１との係合により開閉がスムーズに行われる。
【００２８】
このような第２実施形態によれば、前記（１）  〜（６）  とほぼ同様の効果の他、次のような効果が得られる。
（７）  広い開口部２Ａを２枚の引き戸１８で容易に遮蔽することができる。
【００２９】
図６〜図８には、本発明の第３実施形態が示されている。
この実施形態の建物の引き戸枠３０は、前記開口部２の前方３方を囲う構成となっており、前記開口部枠５と、前記引き戸用上枠１５と、この引き戸用上枠１５の両端にそれぞれ設けられたストッパ部材である第１縦枠３１および第２縦枠３５とを備えて構成されている。
【００３０】
第１縦枠３１は、図７に示すように、引き戸１８を受ける戸当たり部である受部材３２と、この受部材３２に設けられた裏部材３３と、これらの受部材３２と裏部材３３との外側に被せられた前面枠３４とを備えて構成されている。
受部材３２は、開口部枠５を構成する左右の縦枠６のうち、一方の縦枠６の縦溝６Ａに嵌め込まれて上下に延び、かつ壁１から外側に突出して設けられている。また、裏部材３３は受部材３２と一体的に設けられるとともに、裏部材３３の一端部が壁面に当接されている。
【００３１】
第２縦枠３５は、引き戸１８を受ける戸当たり部である受部材３６と、この受部材３６に設けられた裏部材３７と、これらの受部材３６と裏部材３７との外側に被せられた前面枠３８とを備えて構成されている。
受部材３６は、断面Ｌ字形に形成されており、壁１の前記開口部２から横方向に所定距離（少なくとも引き戸１８の幅寸法）離れた位置に設けられ、例えば釘３９等によって壁１に取り付けられている。また、裏部材３７は受部材３６と一体的に設けられるとともに、裏部材３７の一端部が壁面に当接されている。
【００３２】
なお、第１縦枠３１の前面枠３４と第２縦枠３５の前面枠３８とは勝手違いに形成されており、これらの前面枠３４，３８と、前記引き戸用上枠１５の前面枠１７とは前面が同一平面となって連続している。
また、引き戸用上枠１５と開口部枠５との取り付け構造、および引き戸１８の取り付け構造等は、図８に示すように、前記第１、第２実施形態とほぼ同じであるため、詳しい説明は省略する。
【００３３】
このような第３実施形態によれば、２枚の引き戸１８をそれぞれ閉じれば、狭い幅の開口部２が塞がれ、引き戸１８を左右に開ければ、開口部２Ａが現れる。引き戸１８の開閉時は、レール１６Ｂと吊り部材１１との係合により開閉がスムーズに行われる。
【００３４】
このような第３実施形態によれば、前記（１）〜（４）および（６），（７）とほぼ同様の効果の他、次のような効果が得られる。
（８）  建物の引き戸枠３０は、第１縦枠３１と第２縦枠３５とを備え、引き戸１８は、開閉時に、第１縦枠３１の受部材３２と第２縦枠３５の受部材３６とに当接するのでそれ以上の移動が防止され、引き戸用上枠１５から外れることがない。
（９）  第１縦枠３１の取り付けは、受部材３２を、開口部枠５における１つの縦枠６の縦溝６Ａに嵌合させて行えるので、取り付けが容易であるとともに、部材の兼用を図ることができ、受部材３２を取り付けるための部材が不要となる。
【００３５】
図９，１０には、本発明の第４実施形態が示されている。
この実施形態の建物の引き戸枠４０は、幅の広い前記開口部２Ａの前方３方を囲う構成となっており、前記開口部枠５Ａと、前記引き戸用上枠２５と、この引き戸用上枠２５の両端にそれぞれ設けられたストッパ部材としての第１縦枠４１および前記第２縦枠３５とを備えて構成されている。
【００３６】
第１縦枠４１は、図１０に示すように、引き戸１８を受ける戸当たり部である受部材４２と、この受部材４２に設けられた裏部材４３と、これらの受部材４２と裏部材４３との外側に被せられた前面枠４４とを備えて構成されている。
受部材４２は、断面Ｌ字形に形成されており、壁１の前記開口部２から横方向に所定距離（少なくとも引き戸１８の幅寸法）離れた位置に設けられ、例えば釘３９等によって壁１に取り付けられている。
【００３７】
なお、第１縦枠４１の前面枠４４と第２縦枠３５の前面枠３８とは勝手違いに形成されており、これらの前面枠４４，３８と、前記引き戸用上枠２５の前面枠２７（図９参照）とは前面が同一平面となって連続している。
また、引き戸用上枠２５と開口部枠５Ａとの取り付け構造、および引き戸１８の取り付け構造等は、前記第１〜第３実施形態とほぼ同じであるため、詳しい説明は省略する。
【００３８】
このような第４実施形態によれば、２枚の引き戸１８をそれぞれ閉じれば、広い幅の開口部２Ａが塞がれ、引き戸１８を左右に開ければ、広い幅の開口部２Ａが現れる。引き戸１８の開閉時は、レール１６Ｂと吊り部材１１との係合により開閉がスムーズに行われる。
【００３９】
このような第４実施形態によれば、前記（１）〜（４）および（６）〜（９）とほぼ同様の効果の他、次のような効果が得られる。
（１０）幅の広い開口部２Ａを、２枚の引き戸１８で容易に遮蔽できる。
【００４０】
図１１，１２には、本発明の第５実施形態が示されている。
この実施形態の建物の引き戸枠５０は、幅の広い前記開口部２Ａの前方３方を囲う構成となっており、前記開口部枠５Ａと、引き戸用上枠５５と、この引き戸用上枠５５の両端にそれぞれ設けられたストッパ部材である第１縦枠６１および第２縦枠６５とを備えて構成されている。そして、建物の引き戸枠５０には、２枚の前記引き戸１８が、それぞれ一方側に寄せられる引き違い方式で設けられている。
【００４１】
引き戸用上枠５５は、上枠本体５６と前面枠５６とを含んで形成され、上枠本体５６の前記開口部枠５Ａ側の一側面には、当該上枠本体５６の下面と連続する突出部５６Ａが上枠本体５６の長手方向にわたって設けられている。この突出部５６Ａは、前記上枠７Ａの水平溝７Ｂに嵌合するとともに、上枠本体５６の開口部２Ａ側側面は、壁１の外側面に当接されている。
引き戸用上枠５５の上枠本体５６の下面には、当該上枠本体５６の長手方向に沿って２列のレール溝５６Ｂが形成されている。これらのレール溝５６Ｂには、それぞれ２枚の引き戸１８の吊り部材１１が抜けないように設けられている。
【００４２】
第１縦枠６１は、第４実施形態の第１縦枠３１とほぼ同様の構成とされ、戸当たり部である受部材６２と、この受部材６２に設けられた裏部材６３と、これらの受部材６２と裏部材６３との外側に被せられた前面枠６４とを備えて構成されている。受部材６２と裏部材６３とは、２枚の引き戸１８が引き違い方式で開閉されるため、前記第４実施形態の第１縦枠３１に比べて壁１からの突出寸法が大きくなっている。そして、第１縦枠６１は、２枚の引き戸１８が片側に開かれたとき、開口部２Ａに被さらないような位置に設けられている。
【００４３】
第２縦枠６５は、戸当たり部である受部材６６と裏部材６７と前面枠６８とを備えて構成されている。この第２縦枠６５の受部材６６は、開口部枠５Ａを構成する左右の縦枠６のうち、一方の縦枠６の縦溝６Ａに嵌め込まれて上下に延び、かつ壁１から外側に突出して設けられている。
また、２枚の引き戸１８の下面には、それぞれレール部材１２が設けられ、これらのレール部材１２は、床面３に敷設された敷居５３のガイド部材５４にガイドされている。敷居５３は２枚の引き戸１８を引き違い方式でガイドできる幅寸法に形成されている。
【００４４】
このような第５実施形態によれば、２枚の引き戸１８を順に閉じれば、広い幅の開口部２Ａが塞がれ、引き戸１８を開ければ、広い幅の開口部２Ａが現れる。引き戸１８の開閉時は、レール５６Ｂと吊り部材１１との係合により開閉がスムーズに行われる。
【００４５】
このような第５実施形態によれば、前記（１）〜（４）および（６）〜（９）とほぼ同様の効果の他、
（１１）幅の広い開口部２Ａを、２枚の引き戸１８を引き違い方式で開閉できるので、開口部２Ａに対して、第１縦枠６１と第２縦枠６５との間隔を短くすることができ、前記第２、第４実施形態に比べて引き戸用上枠５５が短くてすみ、材料の節約ができる。
【００４６】
なお、本発明は前記各実施形態に限定されるものではなく、本発明の目的を達成できるものであれば、次のような変形形態でもよいものである。
例えば、前記第１、第３実施形態では、引き戸１８を右側に開くように構成したが、開閉方向はこれに限定されず、左側に開くようにしてもよく、間取りの状況に応じて任意である。
【００４７】
また、前記各実施形態では、上枠本体１６，５６の下面にレール溝１６Ｂ，５６Ｂを形成するとともに、引き戸１８側に吊り部材１１を設け、両者１６Ｂ，５６Ｂ、１１の係合により吊り下げ支持しているが、これに限らず、両者１６Ｂ，５６Ｂ、１１を逆にして、つまり、上枠本体１６，５６の下面に吊り部材を設け、引き戸１８側にレール溝を形成してもよい。このようにしても、引き戸１８のスムーズな開閉が可能となる。
【００４８】
さらに、前記各実施形態では、上枠本体１６，５６の下方に引き戸１８をガイドする敷居１３，５３を、床面３上に設けたが、床面３に埋め込んで設けてもよい。このようにすると、床面３に出っ張りがなくなるので、開口部２、２Ａの内側の例えば収納室内に転がして納めるような物を容易に納めることができる。
また、前記各実施形態では、上枠本体１６，５６の下方に引き戸１８をガイドする敷居１３，５３設けたが、この敷居１３，５３は設けず、引き戸１８が完全に吊り部材１１だけで支持されるようにしてもよい。
【００４９】
【発明の効果】
以上に説明したように、請求項１の発明によれば、開口部枠の上枠側面の水平溝に突出部を嵌合させるだけで引き戸用上枠を固定できるので、水平度や上下方向の位置等をその都度確かめる必要がなくて引き戸用上枠の位置決めが容易である。
また、引き戸用上枠の突出部を水平溝に嵌合させ、かつ壁の外側に設けたので、壁に釘打ちするなど、壁への取り付け作業が不要となる。
【００５０】
請求項２に記載の発明によれば、額縁部材の出っ張り寸法を調整できるので、引き戸と開口部枠との隙間を少なくすることができる。
【００５１】
請求項３に記載の発明によれば、引き戸はストッパ部材に当接するのでそれ以上の移動が防止され、引き戸用上枠から外れることがない。
また、ストッパ部材が縦枠の縦溝に嵌合して固定されるので、取り付けが容易であるとともに、部材の兼用が可能となって、ストッパ部材を取り付ける部材が不要となる。
【００５２】
請求項４に記載の発明によれば、引き戸が吊り下げ支持されているので、開閉がスムーズであるとともに、下枠を設けなくてすみ施工が容易である。
【００５３】
請求項５に記載の発明によれば、引き戸が開口部の幅より広い幅寸法に形成され、その幅方向両端は開口部の両側の壁面に被さっているので、開口部の多少の変動に対応でき、開口部の種類に合わせてその都度引き戸を形成しなくてもよい。また、リフォームに際して、従来開き戸だったものを引き戸に変更し、物入れ等にする場合に、容易に対応できる。
【図面の簡単な説明】
【図１】本発明に係る建物の引き戸枠の第１実施形態を示す全体斜視図である。
【図２】前記第１実施形態の建物の引き戸枠を示す平断面図である。
【図３】前記第１実施形態の建物の引き戸枠を示す縦断面図である。
【図４】本発明に係る建物の引き戸枠の第２実施形態を示す全体斜視図である。
【図５】前記第２実施形態の建物の引き戸枠を示す平断面図である。
【図６】本発明に係る建物の引き戸枠の第３実施形態を示す全体斜視図である。
【図７】前記第３実施形態の建物の引き戸枠を示す平断面図である。
【図８】前記第３実施形態の建物の引き戸枠を示す縦断面図である。
【図９】本発明に係る建物の引き戸枠の第４実施形態を示す全体斜視図である。
【図１０】前記第４実施形態の建物の引き戸枠を示す平断面図である。
【図１１】本発明に係る建物の引き戸枠の第５実施形態を示す平断面図である。
【図１２】前記第５実施形態の建物の引き戸枠を示す縦断面図である。
【符号の説明】
１    壁
２，２Ａ    開口部
５，５Ａ    開口部枠
６    縦枠
７    上枠
７Ｂ    水平溝
８    額縁部材
１０，２０，３０，４０，５０    建物の引き戸枠
１１    吊り部材
１５，２５，５５    引き戸用上枠
１８    引き戸
３１，４１，６１    ストッパ部材である第１縦枠
３２，４２，６２    戸当たり部である受部材
３６，６６          戸当たり部である受部材
６１，６５    ストッパ部材である第２縦枠
【図１】
2004238931.tif 000003
【図２】
2004238931.tif 000004
【図３】
2004238931.tif 000005
【図４】
2004238931.tif 000006
【図５】
2004238931.tif 000007
【図６】
2004238931.tif 000008
【図７】
2004238931.tif 000009
【図８】
2004238931.tif 000010
【図９】
2004238931.tif 000011
【図１０】
2004238931.tif 000012
【図１１】
2004238931.tif 000013
【図１２】
2004238931.tif 000014